(57)【要約】【課題】配管後でも取り付け可能でかつ異なる外径の配管部材に対しても密着可能な配管用水受け具を提供する。【解決手段】配管用水受け具４１は、樹脂管２１の外周に取り付けられて樹脂管２１の表面を伝う漏水を受ける。配管用水受け具４１は環状部５１を有し、環状部５１は、一部が離間された環状をなすとともに、当該離間した部分の間隙を拡縮可能な弾性を有しかつ、漏水を受けるための水受け溝５７が周方向に延設されている。環状部５１において、周方向の第１端側には第１係合爪５２が設けられているとともに、周方向の第２端側には、第１係合爪５２に対して係合可能な第２係合爪５３が設けられている。第１係合爪５２及び第２係合爪５３は環状部５１の周方向に複数設けられており、当該周方向における第１係合爪５２と第２係合爪５３との相対的な係合位置関係を調節可能である。排水溝５４は、水受け溝５７に接続されて、水受け溝５７から漏水を排出する。【選択図】図２
2018084248.tif 000002
【特許請求の範囲】
【請求項１】
配管部材の外周に取り付けられて当該配管部材の表面を伝う漏水を受けるための配管用水受け具であって、
一部が離間された環状をなすとともに、当該離間した部分の間隙を拡縮可能な弾性を有しかつ、漏水を受けるための水受け溝が周方向に延設された環状部と、
前記環状部において周方向の第１端側に設けられた第１係合爪と、
前記環状部において周方向の第２端側に設けられ、前記第１係合爪に対して係合可能な第２係合爪と、
前記第１係合爪及び前記第２係合爪のうちの少なくとも一方が前記環状部の周方向に複数設けられることで、当該周方向における前記第１係合爪と前記第２係合爪との相対的な係合位置関係を調節可能であることと、
前記水受け溝に接続されて、当該水受け溝から漏水を排出するための排水路と
を備えたことを特徴とする配管用水受け具。
【請求項２】
前記環状部の外周面には、前記第１係合爪の近傍で第１摘み部が突設されているとともに、前記第２係合爪の近傍で第２摘み部が突設されており、前記排水路は排水溝により構成され、当該排水溝は、前記第１摘み部及び前記第２摘み部のうちの少なくとも一方の上面に設けられていることを特徴とする請求項１に記載の配管用水受け具。
【発明の詳細な説明】
【技術分野】
【０００１】
本発明は、配管部材の表面を伝う漏水を受けるために用いられる配管用水受け具に関する。
【背景技術】
【０００２】
特許文献１（特に図３参照）には、給水本管の配管後に給水本管への取り付けが可能で、給水本管の全周を取り囲むことができる漏水受け具の集水器が開示されている。この集水器は、給水本管が挿通される取付孔を外部へと通じさせる切り込みを有することで、切り込みから取付孔へと給水本管を導き入れるようにしている。
【先行技術文献】
【特許文献】
【０００３】
【特許文献１】特許第４３６４０１９号公報
【発明の概要】
【発明が解決しようとする課題】
【０００４】
ところが、前記集水器は、取付孔の内径と給水本管の外径とが合致しないと、給水本管との間に大きな隙間ができ、漏水を確実に集めることができないという問題があった。
【０００５】
本発明の目的は、配管後でも取り付けが可能でかつ異なる外径の配管部材に対しても密着可能な配管用水受け具を提供すること。
【課題を解決するための手段】
【０００６】
上記目的を達成するために請求項１の発明の配管用水受け具は、配管部材の外周に取り付けられて当該配管部材の表面を伝う漏水を受けるための配管用水受け具であって、一部が離間された環状をなすとともに、当該離間した部分の間隙を拡縮可能な弾性を有しかつ、漏水を受けるための水受け溝が周方向に延設された環状部と、前記環状部において周方向の第１端側に設けられた第１係合爪と、前記環状部において周方向の第２端側に設けられ、前記第１係合爪に対して係合可能な第２係合爪と、前記第１係合爪及び前記第２係合爪のうちの少なくとも一方が前記環状部の周方向に複数設けられることで、当該周方向における前記第１係合爪と前記第２係合爪との相対的な係合位置関係を調節可能であることと、前記水受け溝に接続されて、当該水受け溝から漏水を排出するための排水路とを備えたことを特徴とする。
【０００７】
また、請求項２の発明は請求項１において、前記環状部の外周面には、前記第１係合爪の近傍で第１摘み部が突設されているとともに、前記第２係合爪の近傍で第２摘み部が突設されており、前記排水路は排水溝により構成され、当該排水溝は、前記第１摘み部及び前記第２摘み部のうちの少なくとも一方の上面に設けられていることを特徴とする。
【発明の効果】
【０００８】
本発明の配管用水受け具によれば、配管済みの配管部材に対しても、環状部の間隙を介して配管部材を環状部の内側に配置させる、所謂後付けが可能である。この配置状態で、第１係合爪と第２係合爪とを係合させることで、環状部の間隙が縮小して（換言すれば環状部の内径が縮小して）環状部が配管部材の表面に対して密着される。第１係合爪と第２係合爪とは、環状部の周方向における相対的な係合位置関係を調節可能であるため、異なる外径の配管部材に対しても、配管部材の表面に環状部を密着させることができる。このようにして配管部材に取り付けられた配管用水受け具は、配管部材の表面を伝う漏水を環状部の水受け溝で受け止めるとともに、水受け溝から排水路を介して排出する。
【０００９】
また、本発明の配管用水受け具によれば、第１摘み部と第２摘み部とを手掛かりとして環状部の間隙を縮小させることができ、環状部の弾性に抗して第１係合爪と第２係合爪とを係合させる作業が容易となる。また、第１摘み部及び第２摘み部のうちの少なくとも一方を利用して排水路（排水溝）が形成されているため、排水路を形成するための専用のスペースを必要とせず、配管用水受け具の小型化を図ることができる。
【図面の簡単な説明】
【００１０】
【図１】給水用コンセントの分解斜視図。
【図２】配管用水受け具の正面図。
【図３】配管用水受け具の斜視図。
【図４】配管用水受け具の取付状態を示す斜視図。
【発明を実施するための形態】
【００１１】
以下、本発明を、洗濯機に給水するための給水用コンセントに用いられる配管用水受け具に具体化した一実施形態について説明する。
【００１２】
図１に示すように、建物内の水栓取付壁１１には開口部１２が設けられている。水栓取付壁１１よりも内方に位置する柱１３には、コンセント本体１４が複数本のビス６５により取り付けられている。
【００１３】
コンセント本体１４は有底四角箱状に形成されている。コンセント本体１４の開口周囲には、水栓取付壁１１の内面に当接する四角枠部１５が設けられている。四角枠部１５において水栓取付壁１１側の端面には、水栓取付壁１１の開口部１２に挿入される突出枠部１６が設けられている。突出枠部１６の四隅には、それぞれ中心に雌ねじ１７を有する支持筒部１８が設けられている。コンセント本体１４の外周面には、平行に延びる複数の補強リブ１９が突出形成されている。
【００１４】
水栓取付壁１１の外面側には四角板状の外面部材３０が配置され、コンセント本体１４に対して雄ねじ２６により取り付けられている。外面部材３０の四隅には、それぞれ中心部に貫通孔３１を有する外面側筒部３２が設けられている。外面部材３０の貫通孔３１は、コンセント本体１４の雌ねじ１７に対応する。
【００１５】
外面部材３０の上部には、支持孔３３が透設され、コンセント本体１４内に収容される水栓継手２３の外端部が突出されるように構成されている。外面部材３０の枠部３０ｂには、複数の係合孔４８が開口されている。
【００１６】
外面部材３０において水栓取付壁１１とは反対側には、外面部材３０を覆うカバー部材４３が着脱可能に配置されている。すなわち、カバー部材４３において水栓取付壁１１側の端面には複数の係合突起４９が突設され、外面部材３０の係合孔４８に着脱可能に係合されている。このカバー部材４３には、水栓継手２３のストップカプラ４０を装着するための第１開口部４４と、ハンドル３９を装着するための第２開口部４５が開口されている。
【００１７】
コンセント本体１４内に収容される水栓継手２３のブラケット３４には一対の透孔３５が形成され、それらの透孔３５にビス３６が挿通されてコンセント本体１４のねじ孔２５に螺合され、水栓継手２３がコンセント本体１４に固定されるようになっている。水栓継手２３の一端は、下方へ延びる継手部３８において、鞘管２０で被覆された架橋ポリエチレン製の樹脂管２１がワンプッシュ操作で接続されるようになっている。
【００１８】
水栓継手２３の他端は斜め上方へ延び、内部に図示しないボールバルブが設けられている。ボールバルブにはスピンドル３７を介してハンドル３９が接続され、そのハンドル３９の回動操作により給水又は停止を行うことが出来るようになっている。
【００１９】
コンセント本体１４に設けられた底壁１４ａの中心部には、鞘管２０で被覆された樹脂管２１が挿入される円筒状の筒部２２が設けられている。樹脂管２１は図示しない給水源に接続され、水が供給されるようになっている。
【００２０】
図４に示すように、水栓継手２３の下方には、樹脂管２１を取り囲むようにして配管用水受け具４１が配置されている。配管用水受け具４１は、水栓継手２３から漏れ出て樹脂管２１の表面を伝う漏水を受け止めるとともに、受け止めた漏水を自身から排出するようになっている。コンセント本体１４において底壁１４ａの筒部２２よりも水栓取付壁１１側には、配管用水受け具４１から排出される漏水を受ける漏水案内溝２４が設けられている。この漏水案内溝２４は、中央部がわずかに低くなるように断面Ｖ字状に形成されている。漏水案内溝２４は、外面側ほど若干低くなる傾斜状に形成されている。
【００２１】
図１に示すように、外面部材３０の底部３０ａには切欠き４６が設けられている。したがって、水栓継手２３から漏れ出て樹脂管２１の表面を伝う水は、配管用水受け具４１及び漏水案内溝２４を介して切欠き４６へと流れ込む。切欠き４６に流れ込んだ漏水は、外面部材３０とカバー部材４３との間から水栓取付壁１１の外面へと流れ出るため、漏水の発生を簡単に視認することが出来る。
【００２２】
さて、図２、図３及び図４に示すように、前記配管用水受け具４１は、一部が離間された円環状（円筒状）をなす環状部５１を備えている。配管用水受け具４１は合成樹脂製の一体成形品であるため、環状部５１は離間した部分の間隙５０を拡縮可能な、換言すれば環状部５１の内径を拡縮可能な、弾性を有しているといえる。配管用水受け具４１は、配管済み（水栓継手２３に接続済み）の樹脂管２１に対しても、環状部５１の弾性を利用して間隙５０を拡開することで、間隙５０を介して樹脂管２１を環状部５１の内側に配置させることが可能である。
【００２３】
環状部５１において周方向の第１端側には、径方向内側に突出する複数の第１係合爪５２が周方向に列設されている。環状部５１において周方向の第２端側には、径方向外側に突出する複数の第２係合爪５３が、周方向に列設されている。第１係合爪５２と第２係合爪５３とは係合可能であるとともに、周方向における相対的な係合位置関係を調節可能である。第１係合爪５２と第２係合爪５３とが係合した状態では、第１係合爪５２と第２係合爪５３とが環状部５１の内径を拡大する方向へ相対移動することは阻止されるが、第１係合爪５２と第２係合爪５３とが環状部５１の内径を縮小する方向へ相対移動することは許容される。
【００２４】
環状部５１の外周面には、第１係合爪５２の近傍で第１摘み部５５が突設されている。第１係合爪５２の列は、第１摘み部５５の先端部から環状部５１の第２端側に向けて周方向へ延出されている。環状部５１において第１摘み部５５の基端部からは、第１舌状片６１が環状部５１の第２端側に向けて周方向へ延出されている。
【００２５】
第１係合爪５２と第２係合爪５３とが係合した状態では、第１係合爪５２の列と第１舌状片６１との間に第２係合爪５３が配置されて囲われることで、当該係合が外力によって解除されることを防止する。また、第１舌状片６１は、第１係合爪５２と第２係合爪５３とが係合した状態における、第２係合爪５３の列の先端と第１摘み部５５の基端部との隙間を埋める役目をなし、樹脂管２１に対する環状部５１の密着性を向上させる。
【００２６】
環状部５１の外周面には、第２係合爪５３の近傍で第２摘み部５６が突設されている。第２係合爪５３の列は、第２摘み部５６の基端部から環状部５１の第１端側に向けて周方向へ延出されている。環状部５１において第２摘み部５６の先端部からは、第２舌状片６２が環状部５１の第１端側に向けて周方向へ延出されている。第１係合爪５２と第２係合爪５３とが係合した状態では、第２係合爪５３の列と第２舌状片６２との間に第１係合爪５２が配置されて囲われることで、当該係合が外力によって解除されることを防止する。
【００２７】
配管用水受け具４１は、第１摘み部５５と第２摘み部５６とを手掛かりとすれば、環状部５１が有する弾性に抗して環状部５１の間隙５０を縮小させる作業が容易となる。樹脂管２１を内側に配置した状態にて環状部５１の間隙５０を縮小させると、環状部５１の内径が縮小して、環状部５１の内周面が樹脂管２１の表面に対して密着される。第１係合爪５２と第２係合爪５３とは、環状部５１の周方向における相対的な係合位置関係を調節可能であるため、異なる外径の樹脂管２１に対しても、樹脂管２１の表面に環状部５１の内周面を隙間少なく密着させることができる。
【００２８】
環状部５１の上面には、水栓継手２３から漏れ出て樹脂管２１の表面を伝う漏水を受け止めるための水受け溝５７が、周方向に延設されている。第１摘み部５５及び第２摘み部５６の上面には、基端から先端へ延びるようにして、それぞれ排水路としての排水溝５４が設けられている。各排水溝５４は基端において水受け溝５７に接続されており、各排水溝５４には水受け溝５７から漏水が流れ込む。各排水溝５４は、先端において開放されており、水受け溝５７から流れ込んだ漏水を、コンセント本体１４の漏水案内溝２４へと排出する。このように、第１摘み部５５及び第２摘み部５６を利用して排水溝５４が形成されているため、排水溝５４を形成するための専用のスペースを必要とせず、配管用水受け具４１の小型化を図ることができる。
【００２９】
＜変形例＞
上記実施形態は、例えば以下のように変更することもできる。
○第１係合爪５２及び第２係合爪５３のうちの一方のみを複数設けること。
○第１摘み部５５及び第２摘み部５６のうちの一方のみに排水溝５４を設けること。
○排水溝５４を第１摘み部５５及び第２摘み部５６以外に設けること。
○第１摘み部５５及び第２摘み部５６を削除すること。
○樹脂管２１以外の配管部材に取り付けられるようにすること。
【符号の説明】
【００３０】
２１…配管部材としての樹脂管、４１…配管用水受け具、５０…間隙、５１…環状部、５２…第１係合爪、５３…第２係合爪、５４…排水溝、５５…第１摘み部、５６…第２摘み部、５７…水受け溝。
【図１】
2018084248.tif 000003
【図２】
2018084248.tif 000004
【図３】
2018084248.tif 000005
【図４】
2018084248.tif 000006